(57)【要約】      （修正有）【課題】一戸建や集合住宅等の建物の外周囲全体の表面を美麗に化粧して美観を保ちかつ建物外に存在する白蟻を同時に環境上も安全上も問題なく殺虫防除することができる白蟻の殺虫防除容器を提供する。【解決手段】一端が閉塞され他端が開口すると共に両端部間の筒状部２に多数の白蟻侵入用の孔１が設けられた有底筒状容器４の底部内に、白蟻を誘引するための粉剤または固形剤５を充填すると共に、粉剤または固形剤５の上に位置して容器４内に、白蟻殺虫剤が含浸加工され且つ芯６に筒状に巻かれたロール紙７を内蔵させ、この状態で容器４の上端開口部を上部被蓋８により閉じる。建物外周囲の地面上に施設された化粧層に穴を開けて地面に容器４を埋め込んだ後、化粧層を手直しする。【選択図】図１
0003197349.tif 000002
【実用新案登録請求の範囲】
【請求項１】
一端が閉塞され他端が開口すると共に両端部間の筒状部（２）に多数の白蟻侵入用の孔（１）が設けられた有底筒状容器（４）の底部内に、白蟻を誘引するための粉剤、固形剤（５）が充填されると共に、該粉（５）の上に位置して前記容器（４）内に、白蟻殺虫剤が含浸加工され且つ芯（６）に筒状に巻かれたロール紙（７）が内蔵され、この状態で前記容器（４）の上端開口部が上部被蓋（８）により閉じられた白蟻の殺虫防除容器であって、
建物外周囲の地面（２３）上に施設された化粧層（２２）に穴（２１）を開けて前記地面（２３）に埋め込んだ後、前記化粧層（２２）を手直しすることにより、屋外用として使用されて、前記建物外周囲の美観を保ちながら白蟻駆除も同時に行う白蟻の殺虫防除容器。
【請求項２】
前記容器（４）は、美観を保つべく軸芯方向に長い縦長形状とされた請求項１に記載の白蟻の殺虫防除容器。
【請求項３】
前記ロール紙（７）は、白蟻の餌となるアスペン木材からなる芯（６）と縦長に組み合わされた請求項１又は２に記載の白蟻の殺虫防除容器。
【請求項４】
前記容器（４）の筒状部（２）は、円筒状、角筒状、又は多角筒状である請求項１〜３の何れかに記載の白蟻の殺虫防除容器。
【考案の詳細な説明】
【技術分野】
【０００１】
本考案は、一戸建や集合住宅等の建物の外周囲の土地の表面の美観を保ちつつ、建物の外に存在する白蟻を殺虫し駆除する白蟻の殺虫防除容器に関するものである。
【背景技術】
【０００２】
既に建築された家屋等の建物における白蟻対策としては、建物内や基礎内におけるものが一般的であった（特許文献１及び２）。しかしながら、最近は住宅事情が大きく変化し、建物外周囲の美観を保持する必要が生じてきた。更に、建物内部への薬剤散布までもが敬遠されがちになり、一戸建や集合住宅等の建物の外部で白蟻を駆除し、建物を守る駆除工法まで要求されるようになってきた。
【０００３】
加えて、美麗に化粧された建物外周囲の土地の美観を保ちつつ、建物外の白蟻を駆除することが要求されるようになってきたが、従来は一戸建や集合住宅等の建物の外周囲の土地を美麗に化粧する必要もなかったし、ましてや建物外の白蟻を駆除するような要望もなかった。
【０００４】
このため、建物外の白蟻の駆除を行うには、従来行ってきた建物内の駆除方法を転用することになるが、そうすれば化粧層に大きな穴を多数開けなければならず、埋め戻しても美観が損なわれてしまう。小さな穴で薬液注入という方法もあるが、薬液を使用すれば環境上も安全上も問題がある。
【０００５】
これらの問題のため、建物外の白蟻の駆除を美観維持と同時に行うことは実質不可能であった。
【先行技術文献】
【特許文献】
【０００６】
【特許文献１】特許第４３７７９２５公報
【特許文献２】特許第４５６７８０９公報
【考案の概要】
【考案が解決しようとする課題】
【０００７】
本考案はこのような問題を解決するためになされたものであり、一戸建や集合住宅等の建物の外周囲の土地表面を美麗に化粧したままの美観を保ちつつ、尚かつ建物外の白蟻の駆除を環境上も安全上も問題なく行える白蟻の殺虫防除容器を提供することを目的とする。
【課題を解決するための手段】
【０００８】
上記目的を達成するために、本考案に係る白蟻の殺虫防除容器は、一端が閉塞され他端が開口すると共に両端部間の筒状部に多数の白蟻侵入用の孔が設けられた有底筒状容器の底部内に、白蟻を誘引するための粉剤もしくは固形剤が充填されると共に、該剤の上に位置して前記容器内に、白蟻殺虫剤が含浸加工され且つ芯に筒状に巻かれたロール紙が内蔵され、この状態で前記容器の上端開口部が上部被蓋により閉じられた白蟻の殺虫防除容器であって、
建物外周囲の地面上に施設された化粧層に穴を開けて前記地面に埋め込んだ後、前記化粧層を手直しすることにより、屋外用として使用されて、前記建物外周囲の美観を保ちながら白蟻駆除も同時に行うものである。
【０００９】
すなわち、本考案に係る白蟻の殺虫防除容器は、一戸建や集合住宅等の建物の外周囲の地面に埋め込んで使用される。建物外周囲の地面には、アスファルトやコンクリートやタイルブロック等の化粧層が施設されることにより美観が付与される。その化粧層に穴を開けて地面に埋め込んだ後、その化粧層を手直しすることにより、一戸建や集合住宅等の建物の外周囲の美観を保ちながら同時に建物外の白蟻を積極的に誘引して駆除することができる。
【００１０】
前記ロール紙は白蟻の餌となるアスペン木材からなる芯に巻かれた構成が好ましい。この構成により白蟻を容器内に誘引する効果が高まる。前記容器は軸芯方向に長い縦長形状が好ましい。前記容器が縦長形状であると、地面に深く埋設されるので、地中の白蟻を効率よく捕捉することができると共に、埋設に当たって化粧層や地面に開ける穴も小さくなり、穴あけ作業が簡単になると共に、化粧層に開けた穴が目立たず補修も容易となる。
【００１１】
かくして、本考案に係る白蟻の殺虫防除容器によると、建物の外に生息する白蟻が、屋外の地面に埋めた有底筒状容器内の粉剤、固形剤、若しくは芯に誘引されて筒状部の孔から容器内に侵入した後、容器内のロール紙を食することにより、簡単かつ確実に殺虫され駆除される。
【００１２】
容器の筒状部に形成される白蟻侵入用の孔は丸孔でも角孔でもよい。又筒状部の形状は円筒状、角筒状、多角筒状の何れでもよい。底部は下に凸のドーム状凹部が好ましいが、下に凸の逆錘状凹部でもよく、限定するものではない。
【００１３】
有底凹部内に充填する粉剤、固形剤とは、建物外にいる白蟻を積極的に誘引するため白蟻が分泌するフェロモンを主成分とするターミレイサーを含浸させて粉状、固形状に加工したものをいう。芯としては、集めた白蟻が好んで食べるアスペン木材が好ましい。芯に巻かれるロール紙とは、白蟻殺虫薬（例えばハチクサン、アジェンダＳＣ等）をセルロース系ロール紙に含浸加工したもののことをいう。
【００１４】
一戸建や集合住宅等の建物の周囲、すなわち当該建物の基礎の外周囲表面は、アスファルトやコンクリートやタイルブロック等で化粧して建物全体の美観を保つこととする。
【考案の効果】
【００１５】
本考案に係る白蟻の殺虫防除容器は、当該容器を一戸建や集合住宅等の建物の外周囲の表面化粧層及びその下の地面に穴を開けて埋め込んだ後、化粧層の穴部を手直しすることによって、建物外周囲の美観を保ちながら建物外の白蟻を積極的に集めて、環境上も安全上も問題なく駆除することが出来る。
【図面の簡単な説明】
【００１６】
【図１】本考案に係る白蟻の殺虫防除容器の縦断面図である。
【図２】本考案に係る白蟻の殺虫防除容器の横断面図で、図１中のＡ−Ａ線断面矢示図である。
【図３】本考案に係る白蟻の殺虫防除容器を建物外周囲に配置する状況の概略説明図で斜視図である。
【図４】本考案に係る白蟻の殺虫防除容器を地面に埋め込む穴の説明図で縦断面図である。
【考案を実施するための形態】
【００１７】
以下、本考案の実施形態を図面に基づいて説明する。
【００１８】
本実施形態に係る白蟻の殺虫防除容器は、図１及び図２に示すように、下端が閉塞し上端が開口した有底筒状の容器４を具備する。容器４は軸芯方向に長い筒状であり、ここでは長さ２００ｍｍ×外径２４ｍｍ×内径２０ｍｍの円筒状である。容器４の底部３は下に凸のドーム状であり、上部には閉止用の被蓋８が装着されている。容器４の材質は強度を考慮してポリプロピレンとした。
【００１９】
容器４の筒状部２には、白蟻の通る円形の孔１（直径３ｍｍ×７２個）が設けられている。更にこの容器４の底部３内には、建物の外（土地を含む）にいる白蟻を積極的に誘引するため、白蟻が分泌するフェロモンを主成分とするターミレイサーを含浸させて粉状、固形状に加工した粉剤もしくは固形剤５（約２ｇが高さ２０ｍｍに）充填されている。その上の筒状部２内には、集めた白蟻が餌として好んで食べるアスペン木材からなる芯６と、この芯６に円筒状に巻かれたロール紙７とが縦に挿入されており、この状態で、容器４に上から被蓋８が被せられている。ロール紙７は、白蟻殺虫薬ハチクサン、アジェンダＳＣをセルロース系のロール紙７に含浸加工したものである。
【００２０】
次に、本実施形態に係る白蟻の殺虫防除容器の使用法（施工法）の一例を図３及び図４により説明する。図３に示すように、四戸一の集合住宅の基礎２０の周囲全体が巾２．５ｍ厚さ５ｃｍのコンクリートからなる化粧層２２により化粧されている。そして、図３及び図４に示すように、基礎２０又はポーチ２４の先端からＳ（３０ｃｍ）離して巾Ｗ（１ｍ）間隔で全周囲に穴２１を開け、殺虫防除容器を埋め込んだ後、化粧層２２をコンクリートで埋め戻して手直しをし化粧層２２を美麗に整える。穴２１は、ここでは地面２３にドリルで、深さｈ（２０ｃｍ）×直径Ｐ（２６ｍｍ）に開けた。
【００２１】
以上のように施工することにより、一戸建や集合住宅等の建物の周囲全体の美観を保ちながら建物外にいる白蟻を環境上も安全上も問題なく駆除することができる。
【００２２】
すなわち、本実施形態に係る白蟻の殺虫防除容器を、建物を取り囲むように建物外周囲（基礎２０の周囲）の地面２３に所定間隔で埋設することにより、建物外に生息する白蟻が、容器４内の剤５及び芯６に誘引されて、筒状部２の多数の孔１から容器４内に入る。容器４内に入った白蟻は、容器４内の芯６と共に周囲のロール紙７を食べることにより次々と死滅する。しかも、この殺虫防除容器は、地中に埋設される上に、太さが細いために、埋設のために建物外周囲の化粧層２２に開けた穴２１も小さく、且つ目立たないように綺麗に修復されるので、建物外周囲の美観を損なうことがなく、また化粧層２２の補修も容易である。
【符号の説明】
【００２３】
１    孔
２    筒状部
３    有底凸部
４    容器
５    粉剤、固形剤
６    芯
７    ロール紙
８    被蓋
２０  基礎
２１  穴
２２  化粧層
２３  地面
２４  ポーチ
【図１】
0003197349.tif 000003
【図２】
0003197349.tif 000004
【図３】
0003197349.tif 000005
【図４】
0003197349.tif 000006
【手続補正書】
【提出日】平成27年3月3日(2015.3.3)
【手続補正１】
【補正対象書類名】実用新案登録請求の範囲
【補正対象項目名】全文
【補正方法】変更
【補正の内容】
【実用新案登録請求の範囲】
【請求項１】
一端が閉塞され他端が開口すると共に両端部間の筒状部（２）に多数の白蟻侵入用の孔（１）が設けられた有底筒状容器（４）の底部内に、白蟻を誘引するための粉剤または固形剤（５）が充填されると共に、該粉剤または固形剤（５）の上に位置して前記容器（４）内に、白蟻殺虫剤が含浸加工され且つ芯（６）に筒状に巻かれたロール紙（７）が内蔵され、この状態で前記容器（４）の上端開口部が上部被蓋（８）により閉じられた白蟻の殺虫防除容器であって、
建物外周囲の地面（２３）上に施設された化粧層（２２）に穴（２１）を開けて前記地面（２３）に埋め込んだ後、前記化粧層（２２）を手直しすることにより、屋外用として使用されて、前記建物外周囲の美観を保ちながら白蟻駆除も同時に行う白蟻の殺虫防除容器。
【請求項２】
前記容器（４）は、美観を保つべく軸芯方向に長い縦長形状とされた請求項１に記載の白蟻の殺虫防除容器。
【請求項３】
前記ロール紙（７）は、白蟻の餌となるアスペン木材からなる芯（６）と縦長に組み合わされた請求項１又は２に記載の白蟻の殺虫防除容器。
【請求項４】
前記容器（４）の筒状部（２）は、円筒状、角筒状、又は多角筒状である請求項１〜３の何れかに記載の白蟻の殺虫防除容器。